(57)【要約】【課題】一枚のシート材の４辺の縁部を折り曲げて立ち上げ、その立ち上げ部を容器の枠とした食品用簡易容器において、立ち上がり枠を安定して固定するための簡便な手段を提供する。【解決手段】一枚のシートの縁部を折り曲げて立ち上げ、立ち上げて枠状にした中間構成材２の枠形成部１３の周囲を囲むように熱収縮性シートバンド３を配置し、これを加熱して枠外周を緊締したものである。【選択図】　　図２
2004059039.tif 000002
【特許請求の範囲】
【請求項１】
一枚のシート材の４辺の縁部を折り曲げて立ち上げ、その立ち上げ部を容器の枠とした簡易容器において、
その立ち上げ部の少なくともコーナー部の外面をシール用フィルムを貼着して立ち上げ部を固定して枠とした食品用簡易容器。
【請求項２】
一枚のシート材の４辺の縁部を折り曲げて立ち上げ、その立ち上げ部を容器の枠とした簡易容器において、
その立ち上げ部の全外周にシートバンドを巻き付けて立ち上げ部を固定して枠とした食品用簡易容器。
【請求項３】
シートバンドが熱収縮フィルムからなる請求項２に記載の食品用簡易容器。
【発明の詳細な説明】
【０００１】
【発明の属する技術分野】
本発明は一枚のシートから組み立てられた寿司、その他の加工食品の持ち帰り用の収納に適した簡易容器に関する。
【０００２】
【従来の技術】
従来から、一枚のシートの４辺を立ち上げて枠とした容器自体は、組み立てが簡単で、また、出発材も１枚のシートだけで済み、出発材の調製にも手間がかからないという利点があり、その容器としての完成の試みが種々行われている。
【０００３】
ところが、このような一枚のシートから組み立てられた簡易容器は、立ち上げた枠のコーナー部の連結固定が問題で、粘着テープやホッチキスによって枠コーナー部を固定することが試みられてきたが、結構手間を要し、見た目も好ましくないものであった。
【０００４】
また、このような加工食品用の簡易食品容器ではないが、段ボールのトレーを１枚のシートを折り曲げて製作するに当たって、立ち上げられた枠のコーナー部を連結固定するコーナー部材を利用することが、特開２００１−３９４３３号公報に開示されている。このようなコーナー部材を本発明の対象である加工食品のための簡易容器に適用することも考えられたが、そのコーナー部材が嵩張って、商品としての違和感をもたらすばかりではなく、また、連結した枠が外れやすく、食品用簡易容器には不適当である。
【０００５】
【発明が解決しようとする課題】
本発明は、一枚のシート材の４辺の縁部を折り曲げて立ち上げ、その立ち上げ部を容器の枠とした簡易容器において、立ち上がり部を安定させて固定するための簡便な手段を提供する。
【０００６】
【課題を解決するための手段】
本発明の食品用簡易容器は、一枚のシート材の４辺の縁部を折り曲げて立ち上げ、その立ち上げ部を容器の枠とした簡易容器において、その立ち上げ部の少なくともコーナー部をフィルム状の貼着シートを貼着し固定するか、その立ち上げ部の外周に比較的幅広のシートバンドを巻き付けて固定したものである。
【０００７】
枠の外周を巻き付けて固定するためのシートバンドを使用する場合は、シートバンドとして紙、プラスチックス等、任意の材質のものが使用でき、一枚のシート材の４辺の縁部を立ち上げ部の外周面を一様に適度の強さで緊締して、容器の枠としたものである。そのシートバンドの外面には、従来の簡易容器の枠に施されている模様を形成することによって、従来の容器と同様の外観を呈するようにすることができる。
【０００８】
このシートバンドの取り付けに際しては、バンドの内面に各種接着剤を施したものが使用できるし、その固定の補助手段として、コーナー部に接着剤その他の手段を施すことも可能である。
【０００９】
また、立ち上がり部の外周面を固定するためのシートバンドとして、例えば、特開昭６０−１２５６３５号公報、特開２０００−２８９１１１号公報等に開示されている、従来から二重容器の製造にも使用されてきた熱収縮フィルムも好適に使用できる。
【００１０】
具体的には、ポリ塩化ビニル、ポリエチレン、ポリエチレンテレフタレート、ポリスチレン、ポリプロピレン、ポリ塩化ビニリデン、ポリエステル、アクリロニトリル等の一軸または二軸延伸によって熱収縮の程度を適宜に調整した延伸フィルムが使用できる。
【００１１】
このような熱収縮フィルムからなるシートバンドを使用する際には、組み立て容器の枠周囲よりも長いバンド状にして、組み立て容器の枠周囲を囲むように配置し、本体を構成する紙、木材、プラスチック材の材質に影響を与えない温度に加熱することによって、シートバンドを収縮させ、組み立て容器の枠を緊締し固定するものである。これによって、一枚のシートを折り曲げ立ち上げ部の外周を楽に取り囲んで配置できるので組立てが容易になる。
【００１２】
【発明の実施の形態】
本発明の実施の形態を、枠の緊締用シートバンドとして熱収縮フィルムを使用した実施例に基づいて説明する。
【００１３】
図１は容器本体に組み立てる前のシート材１を示す。同図において、シート材１は、５ｍｍ程度の厚みの発泡ポリスチレン又は発泡ポリプロピレン、発泡ポリエチレンからなり、組み立て後、容器の底を形成する四辺形の底面部１１と、この底面部１１の外側縁部に、折り目１２を介して形成された容器の枠を形成する枠形成部１３から形成されている。
【００１４】
図２は、図１に枠形成部１３を、折り目１２を介して立ち上げて枠状にした中間構成材２を示す。同図において、３は中間構成体２の枠形成部１３の周囲を囲んで配置するシートバンドを示す。このシートバンド３は、１．１〜１．６倍の延伸率で一軸延伸した０．０１〜０．０６ｍｍ厚のポリプロピレンからなり、任意の加熱によって、その周囲方向にマイナス１．０３〜１．５倍の収縮率を有し、その幅方向には、マイナス１．０２倍程度の収縮率を持つものである。従って、このシートバンド３としては、幅方向には、枠形成部１３の高さ（幅）とは、ほぼ同寸で、周囲方向の長さは、完成容器の周囲長さのほぼ１．０３〜１．３倍の長さに形成したものを使用する。
【００１５】
この中間構成体２の枠形成部１３の周囲に、形成した立ち上がり枠全周のほぼ１．０３〜１．３倍の長さのシートバンド３を配置した。この配置の際、枠形成部１３は、折り目１２を介して立ち上げたものであっても、図２に示すように、素材自体の弾力によって垂直位置より外側に向かっている。したがって、バンド３の長さを完成容器の枠外周長さより、相当長く形成していても、垂直位置より外側に向かって立ち上がった枠形成部１３の外周面を支持した状態で配置される。また、、シートバンド３は、枠形成部１３の周囲に巻き付けてから糊材でとめる方法も採用出来る。
【００１６】
この状態で、収縮可能な温度に維持された加熱炉を通過させることによって、シートバンド３は収縮して、折り曲げ立ち上げられた枠形成部１３は締め込まれ、垂直位置で固定する。
【００１７】
図３は、これによって完成した簡易容器の外観を示す。この容器１０は、枠外周をバンド３によって強固に締め込まれ、外見は従来の簡易容器と変わらない、枠が完全に固定され安定した容器が得られる。
【００１８】
【発明の効果】
本発明によって以下のような効果を奏する。
【００１９】
１．　得られた簡易容器は、単に一枚のシートを曲げて組み立て、その外周面をバンドで固定されたものであるので、従来のプラスチック製の簡易容器の組み立て工程と比べ、極めて少ない工程で製造できる。
【００２０】
２．　容器としての強度は、極めて高いものとなる。
【００２１】
３．　容器を構成する素材の材質上の制限を受けることはない。
【００２２】
４．　シートバンドに色々のプリント模様を施すことによって、従前同様の機能を表示できる。
【図面の簡単な説明】
【図１】容器本体を構成するシート材の外観を示す。
【図２】図１に示すシート材を立ち上げた中間体のシートバンドの嵌着の要領を示す。
【図３】完成した食品用簡易容器を示す。
【符号の説明】
１　シート材　　１１　底面部　　１２　折り目　　１３　枠形成部
２　中間構成体
３　シートバンド
１０　完成した容器
【図１】
2004059039.tif 000003
【図２】
2004059039.tif 000004
【図３】
2004059039.tif 000005